(57)【特許請求の範囲】
【請求項１】
パッケージ材からなるチューブ（２）内へ注ぎ入れることができる食品の密封パッケージ（３）を製造するためのパッケージ材を熱シールするシール部材（１５）であり、複数の前記密封パッケージ（３）を形成するために、前記パッケージ材をチューブ（２）の互いに隔てられた断面で熱シールするようになされている加熱手段（２０，２１）と、
前記密封パッケージ（３）が前記チューブ（２）から分離される切断動作中に、対向シール部材（１６）によって担持されている切断部材（６２）と係合する溝（６０）と、を備えており、
前記溝（６０）から前記シール部材（１５）の第一の外側壁（５３，５４）の開口部に伸長している少なくとも１つの長穴（７０）を備え、
前記第一の外側の壁（５３，５４）が、前記切断動作中に前記パッケージ材上に配置されている開封器具（１１）と係合する凹部（５７）を形成しており、
前記長穴（７０）が、前記凹部（５７）と前記溝（６０）との間に配置されている、ことを特徴とするシール部材。
【請求項２】
前記長穴（７０）が、
前記溝（６０）に隣接しており且つ該溝と直に連通している第一の部分（７１）と、
前記第一の部分（７１）と前記凹部（５７）との間に配置されており且つ前記第一の部分（７１）と前記凹部（５７）とに隣接して直に連通している第二の部分（７２）と、を有している、ことを特徴とする請求項１に記載のシール部材。
【請求項３】
前記第二の部分（７２）の厚みが、前記溝（６０）の厚みよりも小さく且つ前記第一の部分（７１）の厚みよりも大きい、ことを特徴とする請求項２に記載のシール部材。
【請求項４】
前記溝（６０）と前記長穴（７０）とが、共に、前記チューブ（２）が伸長している第一の方向（Ａ）を横切る第二の方向（Ｂ）に沿った長さを有している、ことを特徴とする請求項２又は３に記載のシール部材。
【請求項５】
前記第二の部分（７２）が前記第一の部分（７１）に対して傾斜を付けられている、ことを特徴とする請求項４に記載のシール部材。
【請求項６】
前記溝（６０）の外側開口部（６１）を形成しており、第二の外側の壁（５５）と反対側に位置しており、前記第一の壁（５３，５４）に隣接して該第一の壁の間を横切っていて、且つ空洞（５２）の境界を定めている第二の外側の壁（５６）を備えている、ことを特徴とする請求項１〜３のうちのいずれか一の項に記載のシール部材。
【請求項７】
第一の方向（Ａ）に給送され且つ食品を連続的に充填されるパッケージ材からなるチューブ（２）によって食品のための密封されたパッケージ（３）を製造する包装装置（１）であり、
前記チューブ（２）を互いに隔てられた断面で把持するように前記チューブに周期的に且つ連続して作用する少なくとも２つの対をなしている顎状部材（５，６）と、
前記対の各々の第一及び第二の顎状部材（５，６）に対して各々嵌合され且つ前記パッケージ材を前記互いに隔てられた断面で熱シールして複数の密封パッケージ（３）を形成するシール部材（１５）及びこれと対向するシール部材（１６）と、を備えており、
前記対向シール部材（１６）は、形成された密封パッケージ（３）を前記チューブ（２）から切り離すために前記パッケージ材と相互作用するようになされた切断部材（６２）を備えており、
前記シール部材（１５）が、請求項１〜６のうちのいずれか一の項に記載されているシール部材である、ことを特徴とする装置。
【発明の詳細な説明】
【技術分野】
【０００１】
本発明は、パッケージ材からなるチューブ内へ注ぎ入れることができる食品の密封パッケージを製造するためにパッケージ材を熱シールするシール部材に関する。
【背景技術】
【０００２】
フルーツジュース、殺菌された又はＵＨＴ（超高温処理された）ミルク、ワイン、トマトソース等のような多くの食品は、殺菌されたパッケージ材によって作られたパッケージ形態で販売される。
【０００３】
この種のパッケージの典型的な例としては、Tetra Brik Aseptic（テトラ・ブリック・アセプティック；登録商標）として知られている液体又は注ぎ出し可能な食品のための平行六面体形状のパッケージがあり、このようなパッケージは、積層されたストリップ状のパッケージ材を折り曲げ且つシールすることによって作られる。
【０００４】
パッケージ材は多層構造を有しており、該多層構造は、実質的に、例えば紙又は鉱物充填ポリプロピレン材料のような繊維材料の層によって形成される堅牢性及び強度のための基層と、例えばポリエチレンフィルムのような熱シールプラスチック材料からなり且つ前記基層の両面を覆っている多数の層とを含んでいる。
【０００５】
ＵＨＴミルクのような長期保存製品のための無菌パッケージの場合には、パッケージ材はまた、ガス及び光バリア材料例えばアルミニウム箔又はエチルビニルアルコール（ＥＶＯＨ）フィルムのような材料からなる層をも含んでいる。該ガス及び光バリア材料からなる層は、熱シールプラスチック材料からなる層上に重ねられ、次いで、最終的に食品と接触するパッケージの内面を形成する熱シールプラスチック材料の別の層によって覆われる。
【０００６】
公知のように、この種のパッケージは全自動パッケージング装置上で製造される。該全自動パッケージング装置上では、連続的なチューブが巻き取りパッケージ材によって形成され、パッケージ材からなるウェブは該パッケージング装置内で殺菌される。殺菌は、例えば過酸化水素水のような化学的殺菌剤を塗布することによって行なわれ、該化学的殺菌剤は、続いて、例えば加熱及び蒸発によってパッケージ材の表面から除去される。
【０００７】
殺菌されたウェブは、閉鎖された無菌環境内に維持され且つ筒状に折り曲げられ且つ長手方向に沿ってシールされてチューブが形成される。
【０００８】
該チューブは、その軸線に平行な第一の垂直方向に沿って給送され、殺菌されるか又は滅菌処理された食品を連続的に充填され、２つの顎状部材の対によって等間隔断面でシールされて枕状のパッケージに形成される。枕状のパッケージの各々は、頂部と底部との横断シール帯すなわち第一の方向と該第一の方向と直交している第二の方向に沿って伸長している帯を有している。
【０００９】
顎状部材の各対間に把持されているチューブ部分は、シール用顎状部材として知られている顎状部材のうちの一つによって坦持されている加熱装置によって熱シールされる。該加熱装置は、顎状部材間に把持されている熱シールプラスチック材料からなる２つの層を局部的に溶融させる。
【００１０】
例えば、バリア材料の層が例えばアルミニウムのような導電性材料のシートからなるパッケージ材は、通常は、いわゆる誘導加熱シール方法によって熱シールされる。誘導加熱シール方法においては、チューブが２つの顎状部材によって把持されているときに、アルミニウムシート内に損流が誘導されて該アルミニウムシートが局部的に加熱され、このようにして、熱シールプラスチック材料が局部的に溶融せしめられる。
【００１１】
特に、誘導加熱シールにおいては、加熱装置は実質的にインダクタからなる。該インダクタは高周波電流発生装置によって電力を供給され、該インダクタは順に１以上のインダクタ棒を備えている。インダクタ棒は、導電性材料によって作られており、第二の方向に平行に伸長しており、前記のチューブ材と相互作用してチューブ材の内部に損流を誘導して該チューブ材を必要なシール温度まで加熱する。
【００１２】
加熱装置は、シール用顎状部材によって坦持されているシール部材に嵌め込まれている。
【００１３】
対向顎状部材として知られている他方の顎状部材は対向シール部材からなり、該対向シール部材にはエラストマ材料によって作られている加圧パッドが嵌め込まれており、該加圧パッドはインダクタ棒と協働してチューブを相対的な横断シール帯に沿って熱シールする。
【００１４】
更に、該対向顎状部材は切断部材を摺動形態で収容している。特に、切断部材は、第一及び第二の方向と直交している第三の方向に沿ってシール用顎状部材のシール部材に近づいたり遠ざかったりするように摺動する。
【００１５】
更に正確に言うと、切断部材は、通常は、対向シール部材内の引き込まれた休止位置に維持されており、前方の切断位置へ動かされると、該切断位置においては、対向顎状部材から前方へ突出し、シール部材の盲溝と係合し、形成されたパッケージの頂部のシール帯の中心線に沿って切断する。このようにして、形成されたパッケージはチューブから切り離される。
【００１６】
この技術においては、シール部材の溝の中に残留物が溜まるのを避ける必要性が感じられている。実際には、シール部材は溝の中に収納されるので、切断部材がこのような残留物に力をかけてシール用顎状部材のシール部材の変形が生じる。この結果、シール用顎状部材のシール部材の寿命がかなり短くなり、特に、シール部材が金属製の場合には、切断部材及び／又はシール部材を損傷させる虞がある。
【００１７】
残留物は、典型的には、パッケージ材の一部特にポリエチレンと混じり合った紙からなる。
【００１８】
上記した必要性は、特に、パッケージの熱シール前にパッケージ材からなるチューブに複数の開封装置が予め適用され、各パッケージの熱シール中に相対する開封装置がシール用顎状部材のシール部材に配置されている凹部内に収納される場合に感じられている。
【００１９】
実際には、パッケージング装置の始動サイクル中においては、パッケージ材は、チューブの断面が熱シールされるときに不正確な位置にあるかも知れない。
【００２０】
この場合には、開封装置は、シール部材の溝内に収納される代わりに、少なくとも一部が、切断部材が引っ込められる休止位置と前方の切断位置との間の軌道に沿った位置に留まる。
【００２１】
このようにして、開封装置の何らかのプラスチックの残留物が、切断部材によって切り離され且つ溝内に溜まる。
【００２２】
結果として、パッケージ材が自動的に顎状部材に対して正しい位置に配置されたときでさえ、溝内にプラスチック残留物が存在することによって、シール用顎状部材のシール部材及び／又は切断部材の変形及び／又は損傷の虞が生じるかも知れない。
【発明の概要】
【００２３】
本発明は、簡単且つ低廉な方法で、パッケージ材からなるチューブ内へ注ぎ入れることができる食品のシールされたパッケージを製造するためにパッケージ材を熱シールするシール部材を提供することを目的とする。
【００２４】
本発明に従って、請求項１に記載されている、パッケージ材からなるチューブ内へ注ぎ入れることができる食品の密封パッケージを製造するためにパッケージ材を熱シールするシール部材が提供される。
【図面の簡単な説明】
【００２５】
以下、本発明の好ましい非限定的な実施例を、添付図面を参照して例示的に説明する。
【図１】図１は、垂直な成形ラインに沿って送り込まれるパッケージ材からなるチューブによって注ぎ出し可能な食品の滅菌密封パッケージを製造するためのパッケージング装置の側面図であり、明確化のために幾つかの部品が取り外されている。
【図２】図２は、図１の装置の各々のシール部材に嵌め込まれている本発明によるシール部材の互いに正反対の各側部のある視角からの斜視図であり、明確化のために部品が除かれている。
【図３】図３は、図１の装置の各々のシール部材に嵌め込まれている本発明によるシール部材の互いに正反対の各側部の別の視角からの斜視図であり、明確化のために部品が除かれている。
【図４】図４は、図２及び３のシール部材の頂面図であり、明確化のために部品が除かれている。
【図５】図５は、図４の線Ｖ−Ｖに沿った断面図である。
【実施例】
【００２６】
図１における符号１は、シート状パッケージ材からなるチューブ２によって、食品の密封パッケージ３（図１）を製造するためのパッケージング装置全体を示している。
【００２７】
装置１は、殺菌ミルク又はＵＨＴミルク、フルーツジュース、ワイン等の密封パッケージ３を製造するものであるのが好ましい。
【００２８】
装置１はまた、パッケージ３を製造する際にチューブ内へ注ぎ入れ且つパッケージ３がシールされた後に硬化せしめられる食品の密封パッケージを製造することもできる。このような食品の一つの例はチーズであり、チーズは、パッケージ３が製造される際には溶かされ、パッケージ３がシールされた後に硬化せしめられる。
【００２９】
パッケージ材は、多層構造（図示せず）を有しており且つ両面が熱シールプラスチック材料例えばポリエチレンの各々の層によって覆われている繊維材料通常は紙からなる層を備えている。ＵＨＴミルクのような長期保存製品の滅菌パッケージの場合には、パッケージ材料はまた、アルミニウム箔又はエチルビニルアルコール（ＥＶＯＨ）フィルムのようなガス及び光のバリア材料からなる層をも備えている。該ガス−光バリア材料は、熱シールプラスチック材料からなる層上に重ねられ、次いで、最終的に食品と接するパッケージ３の内面を形成する熱シールプラスチック材料からなる別の層によって覆われる。
【００３０】
パッケージ材料にはまた、形成されたパッケージ３から注ぎ出し可能な食品を注ぎ出すことができるようにするように意図されている複数の等間隔に隔てられた開封器具１１（図１）も設けられる。
【００３１】
チューブ２が、公知のやり方で熱シールシート材料からなるウェブ（図示せず）を長手方向に沿って折り曲げ且つシールすることによって形成され、該チューブには、殺菌されるか又は殺菌処理された食品が包装のために充填パイプ（図示せず）によって充填され、図示されていない公知の方法で図１の矢印Ａによって示されている垂直方向経路に沿って送り込まれる。
【００３２】
装置１は２つの成形アセンブリ４を備えており、この２つの成形アセンブリは、各々のレール（図示せず）に沿って垂直方向に移動し且つチューブ２と周期的に且つ連続的に相互作用してチューブ２を等間隔断面で把持し且つチューブ２に対し誘導熱シール及び切断動作を施す。
【００３３】
各形成アセンブリ４は、実質的に、各々のレールに沿って移動するスライド（図示せず）と、２つの顎状部材５，６（本発明の明確な理解のために必要なようにのみ示されている）とを備えている。２つの顎状部材５，６は、各々の水平軸線を中心として前記スライドにヒンジ結合されており且つ閉塞位置と完全に開いた位置との間を移動可能である。
【００３４】
図示されている例においては、各成形アセンブリ４の顎状部材５，６は各々のアーム７，８を備えている。顎状部材５，６は、方向Ａに直角な方向Ｂと平行に伸長しており且つチューブ２の両側に配置されている。
【００３５】
各形成アセンブリ４はまた、各々の顎状部材５，６にヒンジ結合されている２つの対向している成形シェル９，１０をも備えており、該２つの成形シェルは、これらの成形シェルが弾性手段によって押されることによって位置する開放位置（図１において頂部に位置している成形アセンブリ４に関して示されている）と、これらの成形シェルが互いにかみ合ってそれらの間で形成されるパッケージ３の形状及び容積を規定する空間を形成する閉塞位置（図１において底部に位置している成形アセンブリ４に関して示されている）との間を移動できる。
【００３６】
各成形アセンブリ４の顎状部材５，６はまた、各々、誘導シール部材１５とこれに対向しているシール部材１６とを備えており、これらのシール部材は、各々、関連する顎状部材５，６の間に把持されたパッケージ材からなるチューブ２の各断面において、誘導熱シール動作と該断面の中心線に沿った切断動作とを行なう。
【００３７】
図２〜５を参照すると、各シール部材１５は、
−一般的な取り付け手段によって関連する成形アセンブリ４の顎状部材５のアーム７に結合された支持体１９と、
−支持体１９内の各々の対向台内に収納されている誘導部材２０，２１の２つの対（図５に示されている）と、
−磁束集束材料によって作られており且つ支持体１９の内側に嵌め込まれている２つのインサート３１（図５に示されている）と、を備えている。
【００３８】
別の方法として、支持体１９は、関連する成形アセンブリ４の顎状部材５のアーム７と一体に形成されても良い。
【００３９】
更に、インサート３１と誘導部材２０，２１とは、射出成形プラスチック部材９０，９１の２つの対によって支持体１９に嵌め込まれている。
【００４０】
特に図５を参照すると、誘導部材２０，２１は、方向Ｂに沿って伸長しており且つ方向Ｂに平行な中央面Ｒの両側に対をなして配列されている各々の導電性の棒によって形成されている。各々の面Ｒは、各々の顎状部材５，６が閉塞位置にあるときに方向Ａに直角である。
【００４１】
更に特別には、誘導部材２０は、面Ｒに関して対称であり且つ同じく面Ｒの両側に対称に配置されている誘導部材２１同士の間に設けられている。
【００４２】
誘導部材２０，２１は、各々の好ましくは矩形の作用面２５，２６によって、パッケージ材からなるチューブ２と相互作用する。矩形の作用面２５，２６は、Ｂ方向に沿って細長く且つ面Ｒに直角な同じ面内を伸長しており、Ｄ方向に沿った幅及びＢ方向に沿った長さを有している。互いに同一である作用面２５は、明らかに、Ｄ方向において、同じく同一で且つ長さが作用面２５と同じである作用面２６同士の間に設けられている。
【００４３】
更に正確に言うと、方向Ｄは、方向Ｂに直角であり且つ顎状部材５，６が閉塞位置にあるときに方向Ａと合致している。
【００４４】
図５に示されているように、Ｂ方向に沿って細長く伸長している各々の突出部２８が、作用面２５からパッケージ材チューブ２に向かって突出している。突出部２８は、連続しているか区分化されており、各々の作用面２５のほぼ全長に亘って伸長しており、熱シールの際にチューブ２にかかる把持圧力を増大させる。
【００４５】
支持体１９は、面Ｒに関して対称に伸長しており、実質的に、
−面Ｒに平行な各々の面内にある２つの外側の平行な横壁５３，５４と、
−顎状部材６に結合されており且つ壁５３と直角に且つこれらの壁５３同士の間に伸長せしめられている外壁５５と、
−壁５５と反対側に位置しており且つ誘導部材２０，２１とインサート３１とを収容している空洞５２の境界を定めている外壁５６と、を備えている。
【００４６】
特に、誘導部材２０，２１は、作用面２５，２６と反対側の面で壁５６と協働している。更に、壁５６はインサート３１と協働する。
【００４７】
壁５３，５４の各々は関連する凹部５７（図２，３及び５）を備えており、該凹部は、パッケージ材上に予め適用されている各々の開封器具１１が係合するようになされている。図示されている実施例においては、凹部５７は半円周形である。
【００４８】
特に、方向Ａに関してシール部材１５の側の底部として且つ装置１の通常の動作において、凹部５７のうちの一つに各々の開封器具１１が係合する。
【００４９】
更に特別な場合には、凹部５７は相対的にずらされている。
【００５０】
シール部材１５の各々は溝６０（図１、４、及び５）を備えており、対向しているシール部材１６の各々は切断部材６２（図１）を備えている。
【００５１】
更に正確に言うと、溝６０は、方向Ｂに対して平行に且つ面Ｒに関して対称的に伸長している。
【００５２】
更に、溝６０は、壁５６によって形成されており且つ穴６１によってＡ方向の面が制限されている。
【００５３】
切断部材６２は、平らで且つ相対する成形アセンブリ４の対向するシール部材１６上の前方台部内側に摺動形態で収納されており、面Ｒに沿って動くことができ、顎状部材５内に組み込まれている液圧シリンダによって公知の方法（図示せず）で作動せしめられる。
【００５４】
切断部材６２は、通常は、休止位置へと引き込まれた状態に保持され且つ公知の弾性手段（図示せず）によって対向するシール部材１６の内側に完全に収納されており、関連している油圧シリンダによって前方の切断位置へ動かされ、該切断位置において、顎状部材５から前方へ突出し、相対する顎状部材６のシール部材１５の溝６０と係合し、チューブ２の関連する断面の中心線に沿って切断する。
【００５５】
切断部材６２は、作動油圧シリンダの出力部材と一体のプレート状基部と、カッターとを備えており、該カッターは、高い切断圧力を確保し且つパッケージ材の損傷を避けるためにＡ方向における厚みが前記基部よりも薄くなされている。
【００５６】
シール部材１５はまた２つの加圧バッド６５（図１）をも備えている。該加圧バッドは、耐熱性エラストマ材料好ましくはニトリルゴムによって作られており且つ関連する成形アセンブリ４の顎状部材５内に形成されて且つ面Ｒの両側に対称的に配置されている同じ形状の各々の前方空洞内に収納されている。対向シール部材１６の各々の加圧バッドは、相対するシール部材１５の誘導部材２０，２１の作用面２５，２６と協働して面Ｒの両側でチューブ２を把持し且つ熱シールする。
【００５７】
シール部材１５の各々は一対の長穴７０を有しており、該長穴は、溝６０と相対する壁５３，５４との間を伸長しているが有利である（図５）。
【００５８】
更に詳述すると、各長穴７０は、関連する溝６０の穴６１と反対側の端部８０と、関連する凹部５７との間を伸長している。更に長穴７０は穴６１に向かって次第に細くなっている。
【００５９】
各長穴７０は、溝６０と直に連通している部分７１と、部分７１に関連している凹部５７との間に配置されている部分７２とを備えている。
【００６０】
図５に示されている例においては、各長穴７０の部分７１は、顎状部材５，６が閉塞位置にあるときに、Ｂ方向の長さと、Ｂ方向と直角でＡ方向と一致する方向Ｄの幅とを有している。
【００６１】
各長穴７０の部分７２は、Ｂ方向の長さと、Ｄ方向に対して傾斜しているＥ方向の幅とを有している。
【００６２】
部分７１，７２の各々の方向Ｄ、Ｅに沿って測定した厚みは一定である。
【００６３】
更に、Ｅ方向に沿って測定した部分７２の各々の厚みは、Ｄ方向に沿って測定した関連の溝６０の最大幅よりも薄い。
【００６４】
部分７２は更に、部分７１と反対側に、凹部５７によって形成されており且つ面Ｒに平行な面内にある端部穴７５を備えている。
【００６５】
更に正確に言うと、穴７５は、２つの長辺７６が方向Ｂに平行であり且つ２つの短辺７７が方向Ｂと直角である矩形をなしている。
【００６６】
実際の使用時には、注ぎ出し可能な食品が充填され且つ開封器具１１が設けられたチューブが、方向Ａに沿って送り込まれ、成形アセンブリ４が、半周期ずつ位相がずれた状態で作動して各々のレールを上下に移動する。
【００６７】
更に特別には、成形アセンブリ４が上下に動くにつれて、顎状部材５，６が閉塞位置（図１）と開放位置との間を動く。これらの顎状部材は、閉塞位置ではチューブ２の断面を熱シールし、開放位置ではチューブ２から離れる。
【００６８】
成形アセンブリ４が作動すると、シェル９，１０は、それらの作動サイクルを実施する。更に正確に言うと、シェル９，１０は、開放位置（頂部の成形アセンブリ４に関して図１に示されている）と閉塞位置（底部の成形アセンブリ４に関して図１に示されている）との間を動かされる。
【００６９】
顎状部材５，６がひとたび閉塞位置に位置し、シェル半体９，１０同士がチューブ２の周りで閉じられると、シール部材１５の誘導部材２０，２１と対向するシール部材１６のパッド６５との間に配置されているパッケージ材が熱シールされて関連するパッケージ３の横断シール帯が形成される。
【００７０】
装置１の通常の動作においては、各々の閉塞位置と開放位置との間で、Ａ方向に沿ったパッケージ材の動きは顎状部材５，６の動きと完全に同期せしめられている。
【００７１】
従って、各成形アセンブリ４の顎状部材５，６が閉塞位置にあり、シェル本体９，１０がチューブ２の周りで閉じられると、関連する開封器具１１は、その軸線が方向Ａに平行な状態で配置され且つ顎状部材５のシール部材１５の各々の凹部５７内に収容される。
【００７２】
切断部材６２は、チューブ２の断面の熱シール中は、関連する対向シール部材１６の台内の引っ込んだ休止位置内に保持される。
【００７３】
各シール部材１５がひとたびチューブ２の断面をシールし且つ関連するパッケージ３の横断シール帯を形成すると、切断部材６２が前方の切断位置へと動かされる。
【００７４】
その結果、切断部材６２は、チューブ２の関連する断面の中心線に沿ってチューブ２を切断して形成されたパッケージ３から切り離す。
【００７５】
切断部材６２が前方の切断位置に達すると、切断部材６２は関連する溝６２と係合する。
【００７６】
装置１の開始サイクルにおいて、パッケージ材は、チューブの断面が熱シールされるときに顎状部材５，６に対して不正確な位置にあるかも知れない。
【００７７】
別の言い方をすると、各シール部材１５がチューブ２の関連する断面を熱シールするときに対応する開封器具１１が凹部５７の外側に収納されるかも知れない。
【００７８】
これと対照的に、開封器具１１は、切断部材６２の軌道に沿ったままである。
【００７９】
この状態で、切断部材６２によって開封器具１１のプラスチック材料の残りの部分が切り離される。
【００８０】
切断部材６２が溝６０に係合すると、このようなプラスチックの残留物は長穴７０を介して支持体１９の外側へ押し出される。特に、上記したプラスチック残留物は凹部５７の外面上に溜まり、これらの残留物はここから容易に除去することができる。
【００８１】
従って、二回目においては、プラスチック材が顎状部材５，６の動きと完全に周期せしめられ、開封器具１１は、チューブ２の断面が熱シールされる際に相関する凹部５７内に一つずつ順に収容され、溝６０には実質的にプラスチック残留物が存在しない。
【００８２】
溝６０内に残っているかも知れないパッケージ材例えばポリエチレンと混ざり合った紙のようなあらゆる他の存在し得る残留物も、一方又は両方の長穴７０を介して支持体１９の外へ押し出され、一方又は両方の凹部５７の外面上に溜まり、この場所でこれらの残留物は容易に取り除くことができる。
【００８３】
本発明によるシール部材１５の利点は、上記の説明から明らかであろう。
【００８４】
特に、長穴７０の存在により、溝６０内に残り得る例えばポリエチレンと混じり合った紙からなる残留物は、切断部材６２によってシール部材１５の外壁５３に向かって容易に押し出され、この位置でこのような残留物は容易に取り除くことができる。
【００８５】
従って、切断部材６２は、シール部材１５を変形させることなく溝６０内を自由に摺動することができる。
【００８６】
この結果、シール部材１５及び／又は切断部材６２が損傷を受ける虞れが大きく低減され、本明細書の導入部に記載した課題に関連して、シール部材１５の寿命は長くなる。
【００８７】
長穴７０の存在は、チューブ２に予め適用される開封器具１１が嵌め込まれている場合に特に有利である。
【００８８】
実際には、このような場合に、パッケージ材は、チューブ２の断面が熱シールされるときに顎状部材５，６に関して不正確な位置にあるかも知れない。
【００８９】
従って、開封器具１１は、相関するシール部材１５の凹部５７内に収納される代わりに、引っ込んだ体止位置と前方の切断位置との間で切断部材６２の軌道に沿った状態のままとなり、幾らかのプラスチック材の残留物が切断部材６２によって切り離される。
【００９０】
長穴７０の存在により、これらのプラスチック残留物は、溝６０内に残る代わりに、切断部材６２によってシール部材１５の外壁５３に向かって容易に押し出され、この位置で、このような残留物は容易に除去することができる。
【００９１】
この結果、パッケージ材が二回目の段階で顎状部材５，６に関して正確な位置に自動的に配置され、開封器具１１が相関する凹部５７内に収納されるときでも、溝６０には実質的にプラスチック残留物が無い。
【００９２】
従って、この場合にもまた、シール部材１５及び／又は切断部材６２の損傷の虞が著しく減少せしめられ、本明細書の導入部分に記載した解決課題に関するシール部材１５の寿命が延びる。
【００９３】
しかしながら、添付の特許請求の範囲に規定されている本発明の範囲から逸脱することなく、ここに記載し且つ図示したシール５に変更を加えることができることは明らかである。
【００９４】
特に、シール部材１５には、異なる加熱手段例えば超音波トレッド又は加熱バーを嵌め込むことができる。
【００９５】
更に、パッケージ装置は、レールとスライドとを備えずに、対応する複数の顎状部材５及び６が設けられた２つのチェーンコンベアを備えても良く、その場合、これらの顎状部材５及び６は、チューブ２が送り込まれる空間を規定しており且つ互いに対向する各々の直線部分を有する各々の閉塞経路に沿って移動する。
【００９６】
長穴７０の部分７１は、Ｄ方向に沿って測定した種々の値の厚みを有することができる。特に、Ｄ方向に沿って測定した部分７１の厚みは、Ｄ方向に沿って測定した溝６０の厚みに等しくすることができる。
【００９７】
最後に、シール部材１５の支持体１９は唯一つの中心長穴７０を備えていても良い。
【図２】
0005873004.tif 000002
【図３】
0005873004.tif 000003
【図４】
0005873004.tif 000004
【図５】
0005873004.tif 000005
【図１】
0005873004.tif 000006